(57)【要約】  【課題】本発明は、原稿の特定の領域に記載された記号の意味する情報によりユーザ認証を行うことが可能で、更に、そのユーザ認証制御の下で、該情報から抽出したデータおよび装置の使用状況の管理を行うことが可能な画像形成装置を提供することを目的とする。  【解決手段】本発明に係る画像形成装置は、原稿の複写を行う際に、予め登録された登録用原稿２００の特定の領域２０５に記載された記号の意味する情報と、新たに原稿取込部１２により取り込まれた原稿２１０の特定の領域２０５に記載された記号の意味する情報がＣＰＵ１０による照合され、両者が一致していると判定された場合には、原稿の複写が許可され、複写が許可された場合には、その情報から抽出したデータや使用に応じた課金情報といった使用履歴が履歴用メモリ１７３に保存される構成とされている。  【選択図】      図１
2005347803.tif 000002
【特許請求の範囲】
【請求項１】
情報の入力操作を受け付ける操作部と、原稿画像を取り込む取込手段と、該取込手段により取り込まれた前記原稿画像の特定の領域を判定する領域判定手段と、前記特定の領域から記号を抽出する抽出手段と、を有して成る画像形成装置において、
複数の記号パターンがその意味する情報と関連付けられて記憶された記号パターン記憶部と、前記抽出手段より抽出された前記記号を前記記号パターンと照合して、前記記号の意味する情報を選択する記号パターン照合手段と、前記操作部から入力された所定の入力情報および前記記号パターン照合手段によって選択された前記記号の意味する情報を関連付けて成る登録情報データとして記憶する情報記憶部と、新たに取り込まれた記号の意味する情報と予め記憶された記号の意味する情報とを照合する情報照合手段と、該情報照合手段の照合結果に応じて装置使用の可否制御を行う使用可否制御手段と、を有して成ることを特徴とする画像形成装置。
【請求項２】
前記抽出手段により抽出される前記記号は、印鑑またはサインにより記載された原稿画像であることを特徴とする請求項１に記載の画像形成装置。
【請求項３】
前記取込部により取り込まれた原稿画像を用紙に印刷する画像形成部を有し、
前記使用可否制御手段により装置使用が許可された際に、前記特定の領域から抽出された前記記号以外の原稿画像を用紙に形成させる手段を有して成る請求項１または請求項２に記載の画像形成装置。
【請求項４】
前記情報照合手段による照合が一致した際に、装置使用に応じて課金情報を記録する履歴記憶部を有して成ることを特徴とする請求項１から請求項３のいすれかに記載の画像形成装置。
【請求項５】
前記情報照合手段による照合が一致した際に、前記履歴記憶部に記憶された課金情報と前記記号の意味する情報が関連付けられて記憶されることを特徴とする請求項４に記載の画像形成装置。
【請求項６】
前記情報照合手段による照合が一致した際に、前記履歴記憶部に記憶された課金情報と前記登録情報データが関連付けられて記憶されることを特徴とする請求項４または請求項５に記載の画像形成装置。
【請求項７】
装置動作の制限情報を記憶し、前記履歴記憶部に記憶された動作履歴と前記制限情報との比較に基づいて、装置の使用内容を限定する制御を行う限定手段を有して成ることを特徴とする請求項４から請求項６のいずれかに記載の画像形成装置。
【発明の詳細な説明】
【技術分野】
【０００１】
本発明は、複写機、プリンタ、ファクシミリ等の画像形成装置に関するものであり、その装置管理におけるユーザ認証技術に関するものである。
【背景技術】
【０００２】
従来より、画像形成装置において、その利用要求の管理、用紙やトナー等の消耗品といった運用コストの削減等を目的とした使用状況の管理（コピー枚数記録や装置使用に応じた課金情報の管理等）は、予め装置本体に個人やグループ毎にユーザ登録を行い、暗証番号やそのユーザ登録データが書き込まれた磁気カードが読み取り専用装置に装着された場合に、画像形成装置の使用が許可され、その装置使用に応じた使用履歴が更新されることでなされている。このように磁気カード等を利用したユーザ認証制御の下で、装置の使用状況を管理する手段を備えた電子機器が開示・提案されている（例えば、特許文献１を参照）。
【０００３】
また、前述の磁気カードとは異なる認証方法として、原稿に記載された文字列をその認証に利用し、装置に予め登録された文字列と新たに取り込まれた文字列の照合によって認証を行う文字列認証システムが開示・提案されている（例えば、特許文献２を参照）。
【特許文献１】特開２００３−１７３２４３号公報
【特許文献２】特開２００３−３４６１５４号公報
【発明の開示】
【発明が解決しようとする課題】
【０００４】
確かに、上記構成から成る画像形成装置であれば、その管理において、予め許可されたユーザのみ装置の使用が可能になり、また、装置の使用状況の管理も行うことが可能となる。
【０００５】
しかしながら、従来の画像形成装置では、例えば、あるユーザや部門が他グループの磁気カードを使用しても装置を使用することができ、実際に使用したユーザの所属するグループを判別することが難しいという問題があった。
【０００６】
また、特許文献２に開示された文字列認証システムを画像形成装置に用いると、例えば、文字列認証に日付付き印鑑を利用する場合、予め日付付き印鑑の印字画像を取り込んで登録し、次回からの装置使用時には、文字列そのものの画像を利用した認証方法であるため、同じ日付の印鑑を原稿に印字して認証を行うこととなる。このため、原稿に印鑑が印字される日付に変更して日付付き印鑑を印字し、該日付を認証時に抽出してデータ管理するといった要望までは達成することができなかった。
【０００７】
本発明は、上記の問題点に鑑み、原稿の特定の領域に記載された記号の意味する情報によりユーザ認証を行うことが可能で、更に、そのユーザ認証制御の下で、該情報から抽出したデータおよび装置の使用状況の管理を行うことが可能な画像形成装置を提供することを目的とする。
【課題を解決するための手段】
【０００８】
上記目的を達成するために、本発明に係る画像形成装置は、情報の入力操作を受け付ける操作部と、原稿画像を取り込む取込手段と、該取込手段により取り込まれた前記原稿画像の特定の領域を判定する領域判定手段と、前記特定の領域から記号を抽出する抽出手段と、を有して成り、複数の記号パターンがその意味する情報と関連付けられて記憶された記号パターン記憶部と、前記抽出手段より抽出された前記記号を前記記号パターンと照合して、前記記号の意味する情報を選択する記号パターン照合手段と、前記操作部から入力された所定の入力情報および前記記号パターン照合手段によって選択された前記記号の意味する情報を関連付けて成る登録情報データとして記憶する情報記憶部と、新たに取り込まれた記号の意味する情報と予め記憶された記号の意味する情報とを照合する情報照合手段と、該情報照合手段の照合結果に応じて装置使用の可否制御を行う使用可否制御手段と、を有して成る構成にするとよい。
【０００９】
なお、上記構成から成る画像形成装置の前記抽出手段により抽出される前記記号は、印鑑またはサインにより記載された原稿画像であってもよい。
【００１０】
なお、上記構成から成る画像形成装置は、前記取込部により取り込まれた原稿画像を用紙に印刷する画像形成部を有し、前記使用可否制御手段により装置使用が許可された際に、前記特定の領域から抽出された前記記号以外の原稿画像を用紙に形成させる手段を有して成る構成とするとよい。
【００１１】
なお、上記構成から成る画像形成装置は、前記情報照合手段による照合が一致した際に、装置使用に応じて課金情報を記録する履歴記憶部を有して成る構成にするとよい。
【００１２】
なお、上記構成から成る画像形成装置は、前記情報照合手段による照合が一致した際に、前記履歴記憶部に記憶された課金情報と前記記号の意味する情報が関連付けられて記憶される構成にするとよい。
【００１３】
なお、上記構成から成る画像形成装置は、前記情報照合手段による照合が一致した際に、前記履歴記憶部に記憶された課金情報と前記登録情報データが関連付けられて記憶される構成にするとよい。
【００１４】
なお、上記構成から成る画像形成装置は、装置動作の制限情報を記憶し、前記履歴記憶部に記憶された動作履歴と前記制限情報との比較に基づいて、装置の使用内容を限定する制御を行う限定手段を有して成る構成とするとよい。
【発明の効果】
【００１５】
上記したように、本発明に係る画像形成装置であれば、原稿の特定の領域に記載された記号の意味する情報によりユーザ認証を行うことが可能で、更に、そのユーザ認証制御の下で、該情報から抽出したデータおよび装置の使用状況の管理を行うことが可能となる。
【発明を実施するための最良の形態】
【００１６】
以下では、本発明を複写機に適用した場合を例に挙げて説明を行う。図１は本発明に係る複写機の要部構成を示すブロック図であり、図２は本発明に係る複写機の要部構造を模式的に示す縦断面図である。両図に示すように、本実施形態の複写機１は、装置全体の動作を制御する中央演算処理装置１０（以下、ＣＰＵ［Central Processing Unit］１０と呼ぶ）と、原稿を自動搬送する原稿搬送部１１と、原稿搬送部１１から搬送された原稿や手動により配置された原稿画像を取り込んで画像データを生成する原稿取込部１２と、操作手段（テンキーやタッチパネルなど）と表示手段（液晶ディスプレイなど）から成る操作表示部１３と、画像データに基づいて用紙への画像出力を行う画像形成部１４（プリンタヘッドや感光ドラムから成るプリント部１４１と、該プリント部１４１で得られた画像出力を用紙に定着させる定着部１４２とを含む）と、画像形成部１４に給紙を行う給紙部１５と、各種制御プログラム等の記憶やワーク領域として用いられるメモリ部１７と、画像形成部１４で画像出力された用紙の排紙先となる排紙部１６と、ネットワークサーバやパーソナルコンピュータ等とのインターフェースとなる外部インターフェース回路部１８（以下、外部Ｉ／Ｆ回路部１８と呼ぶ）と、を有して成る。
【００１７】
ＣＰＵ１０は、装置全体の動作を制御するほか、後ほど詳細に説明する原稿の特定の領域に記載された記号の意味する情報を利用した認証制御に関する処理を行う。          
【００１８】
メモリ部１７は、原稿取込部１２によって取り込まれた原稿の特定の領域に記載された記号と照合され、複数の記号パターンがその意味する情報と関連付けられて記憶された記号パターン用メモリ１７１と、ユーザ登録データが記憶されるユーザ登録用メモリ１７２と、装置の使用履歴が記録される履歴用メモリ１７３と、各種制御プログラム等が格納されたＲＯＭ［Read Only Memory］１７４と、ワーク領域として用いられるＲＡＭ［Random Access Memory］１７５と、を有して成る。
【００１９】
給紙部１５は、画像形成部１４への給紙元となる複数段（本実施形態では３段）の用紙収納部１５１と、各用紙収納部１５１から画像形成部１４への共通した用紙搬送経路となる用紙搬送部１５２と、を有して成る。
【００２０】
次に、上記構成から成る複写機１における原稿複写動作の一例について説明する。複写機１における原稿複写動作では、まず原稿取込部１２に原稿が配置され、操作表示部１３の図示していないスタートキーが押下されると、原稿取込部１２による該原稿の取込み（画像データの生成）が行われる。生成された画像データは、一旦メモリ部１７に格納された後、後述の認証制御により複写が許可されると、再び読み出されて画像形成部１４に送出される。その後、画像形成部１４では、入力された画像データに基づく用紙への画像形成処理並びに定着処理が行われる。
【００２１】
なお、本実施形態の複写機１は、原稿の特定の領域に記載された記号の意味する情報を利用した認証制御と、そのユーザ認証制御下での、該情報から抽出されたデータおよび装置の使用状況の管理に特徴を有している。そこで、以下では図を参照しながら、本実施形態の複写機１における原稿の特定の領域に記載された情報による認証制御と、そのユーザ認証制御の下での、該情報から抽出されたデータ管理および装置の使用状況の管理について、詳細な説明を行う。
【００２２】
図３は、本実施形態の複写機１における複写時での操作表示部１３の液晶ディスプレイ画面の一例を示す図である。操作表示部１３は、図３に示すように、ディスプレイの所定の位置に触れることで画面が切り替わるタッチセンサを備えた液晶ディスプレイ１３０を有して成る。
【００２３】
複写時における液晶ディスプレイ１３０には、例えば、図３に示すように、複写機能を選択するときに押されるコピーモード切替部１３１と、原稿画像の取り込みを行う機能を選択するときに押されるスキャナモード切替部１３２と、ファクス機能を選択するときに押されるファックスモード切替部１３３と、ユーザ情報の登録メニュー等を液晶ディスプレイ１３０に表示させる初期設定切替部１３４と、装置のステータスが表示されるステータス表示部１３５と、認証等の手続き案内や使用履歴等が表示されるメイン表示部１３６と、コピー倍率を設定するコピー倍率設定部１４０と、該コピー倍率設定部１４０で設定されたコピー倍率が表示されるコピー倍率表示部１３７と、図示していないテンキーにより設定されたコピー枚数が表示される枚数表示部１３８と、印字先となる用紙のサイズの選択または用紙サイズの選択方法を設定する用紙サイズ設定部１４１と、用紙サイズ設定部１４１で選択された用紙サイズまたは用紙サイズの選択方法が表示される用紙表示部１３９と、コピー時のコピー画質モードを選択するコピー画質選択部１４２と、が表示される。
【００２４】
次に、予め原稿の特定の領域に記載された記号の意味する情報とユーザ情報等を関連付けてユーザ登録する方法について以下に説明する。
【００２５】
ここで、図４は、ユーザ登録用原稿の特定の領域に記号が記載された原稿の一例を示す図である。ユーザ登録用原稿２００には、図４に示すように、特定の領域２０５に印鑑２０１が押されており、その印字には、役職２０２ａ、日付２０３ａおよび名前２０４ａが記載されている。ユーザ登録用原稿２００を利用してユーザ登録を後述のように行う。
【００２６】
図５は、ユーザ登録時のフローを示すフローチャート図である。本実施形態の複写機１は、図１から図５に示すように、ステップＳ５−１で、初期設定切替部１３４を押して、メイン表示部１３６に表示されるメニュー画面でユーザ登録するメニューを選択すると、ユーザ登録を許可するためのパスワード入力画面が表示される。そして、該パスワード入力画面にパスワードを入力すると、ＣＰＵ１０によりユーザ登録が許可される。続いて、ユーザ情報を入力するための画面が表示され、ユーザが所属する部署名等のユーザ情報データが入力されると、これらの入力された該データが、一旦、ユーザ登録用メモリ１７２に記憶され、次のステップに進む。
【００２７】
ステップＳ５−２で、メイン表示部１３６に登録用原稿２００画像の取り込みに関する指示内容が表示される。登録用原稿２００は、図６に示すように、登録用原稿２００の記入面を原稿取込部１２の原稿画像の取り込み窓となるプラテンガラス１２０に向けて、登録用原稿２００の角２０６がプラテンガラス１２０上の突き当て部１２１に一致するように配置する。ここで、認証用の記号が記入される原稿の特定の領域２０５の座標位置は、図６に示すように、登録用原稿２００の角２０６がプラテンガラス１２０上の突き当て部１２１に一致するように配置される場合において、予め各用紙サイズ毎に装置に設定されている。なお、原稿搬送部１１に置かれた登録用原稿２００が、図示していないスタートキーが押下後に原稿取込部１２に搬送され、原稿取込部１２による原稿画像の取込みが行われる際に、ＣＰＵ１０の制御により用紙サイズ並びに原稿の特定の領域２０５の座標位置が判定され、原稿の特定の領域２０５に記載された記号が検出される構成とするとよい。
【００２８】
ステップＳ５−３で、操作表示部１３の図示していないスタートキーが押下されると、原稿取込部１２により登録用原稿２００画像の取り込みが開始する。生成された登録用原稿２００の画像データと記号パターン用メモリ１７１に記憶された各々の記号パターンとがＣＰＵ１０により照合される。その照合結果である役職２０２ａ、日付２０３ａ、名前２０４ａおよびこの照合結果をユーザ登録するかどうかを入力する画面が、メイン表示部１３６に表示される。照合結果を登録する場合（Ｓ５−３ＹＥＳ）には、メイン表示部１３６に表示される登録用ボタンを押下し、次ステップＳ５−４に進む。照合結果を登録しない場合（Ｓ５−３ＮＯ）には、メイン表示部１３６に表示されるキャンセルボタンを押下する。ここで、記号パターン用メモリ１７１に記憶された記号パターンにはそれぞれ該記号パターンの意味する情報が関連付けられているため、照合結果である役職２０２ａ、日付２０３ａおよび名前２０４ａには、これらが意味する情報が関連付けられている。日付２０３ａにおいては、日付の数値は可変情報であることも関連付けられている。なお、照合方法は、周知のパターンマッチングでも良いし、それに限るものではない。
【００２９】
ステップＳ５−４で、ステップＳ５−３で照合結果の登録が選択されたことにより、ＣＰＵ１０は、ステップＳ５−１で入力されたユーザが所属する部署名等のデータと照合結果である役職２０２ａ、日付２０３ａおよび名前２０４ａの意味する情報が関連付けられて、ユーザ登録データとしてユーザ登録用メモリ１７２に記憶され、ユーザ登録が完了する。
【００３０】
次に、本実施形態の複写機１がユーザから利用要求される場合における原稿の特定の領域に記載された情報の認証操作について図を参照にしながら以下に説明する。図７は、複写を目的とする原稿の特定の領域２０５に記号が記載された原稿の一例を示す図である。図８は、原稿の複写時における原稿の特定２０５の領域に記載された情報の認証および複写のフローを示すフローチャート図である。
【００３１】
原稿の複写を行う場合には、図４と図７に示すように、ユーザ登録を行っているユーザに、登録用原稿２００の特定の領域２０５と同じ原稿２１０の特定の領域２０５に、ユーザ登録データと同じ情報を意味する記号（印鑑やサイン等）を全て書き込んでもらう。例えば、図７に示すように、役職２０２ｂ、日付２０３ｂおよび名前２０４ｂは、サインにて記入されてもよく。また、日付２０３ｂは、サインの記入日の日付けをサインしてもらえばよい。ここで、役職２０２ｂ、日付２０３ｂおよび名前２０４ｂは、ユーザ登録時の印鑑による印字と異なり、また、原稿２１０に記入された日付２０３ｂはユーザ登録時と異なるが、本実施形態の複写機１では、原稿の特定の領域に記載された記号の意味する情報を認証する構成であるため、その情報が一致するものが記載されていれば複写機１の使用が許可される。
【００３２】
ステップＳ８−１で、図１から図８に示すように、ステータス表示部１３５には、未認証であることが表示され、前述の登録用原稿２００と同様に、原稿２１０の記入面をプラテンガラス１２０に向けて、原稿２１０の角２０６がプラテンガラス１２０上に突き当て部１２１に一致するように置く。そして、操作表示部１３の図示していないスタートキーを押下されると、原稿画像の取り込みを開始される。なお、原稿搬送部１１に置かれた原稿２１０が、図示していないスタートキーが押下後に原稿取込部１２に搬送され、原稿取込部１２による原稿画像の取込みが行われる際に、ＣＰＵ１０の制御により用紙サイズ並びに原稿２１０の特定の領域２０５の座標位置が判定され、原稿２１０の特定の領域２０５に記載された記号が検出される構成とするとよい。
【００３３】
ステップＳ８−２で、原稿２１０の特定の領域２０５に記載された役職２０２ｂ、日付２０３ｂおよび名前２０４ｂの意味する情報を判定するため、ＣＰＵ１０により特定の領域２０５の役職２０２ｂ、日付２０３ｂおよび名前２０４ｂの画像データと記号パターン用メモリ１６１に記憶された各々の記号パターンとが照合される。
【００３４】
ステップＳ８−３で、ステップＳ８−２でＣＰＵにより判定された役職２０２ｂ、日付２０３ｂおよび名前２０４ｂの意味する情報とユーザ登録用メモリ１７２に記憶されているユーザ登録データ内の情報が、登録件数毎に全てが照合される。そして、１件分のユーザ登録データとして登録された前述の役職２０２ａ、日付２０３ａおよび名前２０４ａの意味する情報と原稿２１０にサインで記載された役職２０２ｂ、日付２０３ｂおよび名前２０４ｂの意味する情報が一致していると判定される。なお、日付２０３ｂはユーザ登録データの日付２０３ａと異なっても、日付けであることが判定されるため、これらの情報が一致しているとして判定される。なお、照合方法は、周知のパターンマッチングでも良いし、それに限るものではない。
【００３５】
原稿２１０の特定の領域２０５に記載された記号の意味する情報が、１件分のユーザ登録データと全て一致している場合（Ｓ８−３ＹＥＳ）には、次ステップＳ８−４で、複写が開始され、ステータス表示部１３５には、認証が完了したことが表示される。そして、所定枚数の複写後、複写が終了する。なお、ユーザ登録データに一致する情報がない場合（Ｓ８−３ＮＯ）は、コピーは開始されず、ステータス表示部１３５には、未認証であることが表示される。
【００３６】
続いて、ステップＳ８−５で、ＣＰＵ１０により、照合が一致したユーザに対して、ユーザ登録データのユーザ情報、認証時に抽出された日付２０３ｂおよび複写枚数に応じた所定の課金情報等の使用履歴情報（例えば、使用日時、課金情報、コピー枚数等）が履歴用メモリ１７３に追加あるいは更新して保存され、一連の認証および複写動作が完了する。
【００３７】
なお、複写により印刷される用紙には、認証に利用される用紙に記載された記号が印刷されないようにする機能を複写機１に設けるとよい。これにより、原稿画像が複写された用紙を利用した新たな複写を制限することが可能となる。
【００３８】
次に、複写機１の使用状況の管理について以下に説明する。上記で説明したように、ユーザ毎に履歴用メモリ１７３に記憶された課金情報等の使用履歴（例えば、使用日時、課金情報、コピー枚数等）の読み出し操作は、例えば、部門別集計データの履歴を読み出す場合、複写機１の管理者は、初期設定切替部１３４を押下する。続いて、管理者は、メイン表示部１３６に表示される管理者メニューから部門別集計情報を選択し、パスワードを入力して認証を受けた後、部門別集計データの履歴の閲覧と印字出力をして管理をおこなうことができる。
【００３９】
また、複写機１の装置動作に制限を与える機能を設けるとよく、例えば、個人やグループ毎のユーザ登録データに複写機１の使用に応じた課金情報やコピー枚数等に上限を追加登録して、その上限値と使用履歴との比較に基づいて、使用履歴がその上限値以上になると、管理者の許可が無い限り装置の使用が限定されるようにする機能を設けて、運用コストの削減を図るとよい。
【００４０】
以上で説明したように、本実施形態の複写機１は、原稿取込部１２で原稿画像が取り込まれた際に、原稿の特定の領域に記載された記号の意味する情報により認証が行われ、予め登録された情報と一致すれば、装置の使用が可能となる構成であるため、磁気カード内のユーザ登録データ読み取り専用装置が不要となる。更には、そのユーザ認証制御の下で、該情報から抽出したデータおよび複写枚数や課金情報等といった装置の使用状況の管理を行うことが可能となる。例えば、責任者が認証に利用する情報に日付を含んだ情報をユーザ登録する。そして、複写時に責任者に承認を得て、承認日の日付に変更さた情報が原稿の特定の領域に記入され、画像形成装置に認証を受けると、承認日の日付が抽出されることで、責任者に複写の承認を受けた日の管理も可能となる。
【産業上の利用可能性】
【００４１】
本発明は、複写機の他にも、プリンタやファクシミリなどの画像形成装置全般に広く適用が可能であり、画像形成装置の使用許可を認証技術および装置の使用に応じた課金や複写枚数といった装置の使用状況の管理に有用な技術である。
【図面の簡単な説明】
【００４２】
【図１】は、本発明に係る複写機の要部構成を示すブロック図である。
【図２】は、本発明に係る複写機の要部構造を模式的に示す縦断面図である。
【図３】は、本実施形態の複写機における複写時での操作表示部の液晶ディスプレイ画面の一例を示す図である。
【図４】は、ユーザ登録用原稿の特定の領域に記号が記載された原稿の一例を示す図である。
【図５】は、ユーザ登録時のフローを示すフローチャート図である。
【図６】は、原稿取込部のプラテンガラス上における原稿の配置を説明するための図である。
【図７】は、複写を目的とする原稿の特定の領域に記号が記載された原稿の一例を示す図である。
【図８】は、原稿の複写時における原稿の特定の領域に記載された情報の認証および複写のフローを示すフローチャート図である。
【符号の説明】
【００４３】
１    複写機
１０    中央演算処理装置（ＣＰＵ）
１１    原稿搬送部
１２    原稿取込部
１３    操作表示部
１４    画像形成部
１５    給紙部
１６    排紙部
１７    メモリ部
１７１    記号パターン用メモリ
１７２    ユーザ登録用メモリ
１７３    履歴用メモリ
１７４    ＲＯＭ
１７５    ＲＡＭ
２００    登録用原稿
２０５    特定の領域
２１０    原稿
【図１】
2005347803.tif 000003
【図２】
2005347803.tif 000004
【図３】
2005347803.tif 000005
【図４】
2005347803.tif 000006
【図５】
2005347803.tif 000007
【図６】
2005347803.tif 000008
【図７】
2005347803.tif 000009
【図８】
2005347803.tif 000010